(57)【要約】      （修正有）【課題】操作性に優れた電子機器を提供する。【解決手段】携帯情報端末ＥＱＰは、正方形の板状に形成された筐体と、筐体の板面のうち正方形の表示領域に設けられた表示パネルＤＰと、表示領域に対する接触の有無及び接触位置を検出するタッチパネルと、筐体の側面の所定領域に対する接触の有無及び接触位置を検出し、表示部が設けられた領域に対応して前記所定領域が設定されている検出部を有する操作部ＳＤと、表示パネルが設置された面の背面のほぼ中心部に設けられ、外部機器と前記筐体とを接続する第２の接続部ＭＴと、を備える。【選択図】図１
2012221474.tif 000002
【特許請求の範囲】
【請求項１】
正方形の板状に形成された筐体と、
前記筐体の板面のうち正方形の表示領域に設けられた表示パネルと、
前記表示領域に対する接触の有無及び接触位置を検出するタッチパネルと、
前記筐体の側面の所定領域に対する接触の有無及び接触位置を検出し、前記表示部が設けられた領域に対応して前記所定領域が設定されている検出部を有する操作部と、
前記筐体において前記表示パネルが設置された面に対する背面のほぼ中心部に設けられ、外部機器と前記筐体とを接続する接続部と、
を備える電子機器。
【請求項２】
前記検出部は、前記筐体の四辺の側面それぞれに配置されている
ことを特徴とする請求項１に記載の電子機器。
【請求項３】
異なる位置に設置された複数の振動デバイス
を備えることを特徴とする請求項１又は２に記載の電子機器。
【発明の詳細な説明】
【技術分野】
【０００１】
本発明は、電子機器に関する。
【背景技術】
【０００２】
携帯電話や携帯情報端末などの電子機器として、例えば特許文献１が知られている。特許文献１に示すような電子機器においては、操作部分にボタンを設けた構成が知られている。このような電子機器において、例えば板状に設けられた筐体の一の面に表示部が設けられており、当該一の面のうち表示部の周囲の領域などに操作ボタンが設けられた構成が知られている。
【先行技術文献】
【特許文献】
【０００３】
【特許文献１】特開２０１０−８６０８９号公報
【発明の概要】
【発明が解決しようとする課題】
【０００４】
しかしながら、従来技術における筐体に操作ボタンを配置する構成においては、筐体における操作ボタンの位置が固定されるため、例えば筐体を回転させて用いる場合などに操作しにくいという問題がある。
【０００５】
本発明は上記の点に鑑みてなされたものであり、その目的は、操作性に優れた電子機器を提供することにある。
【課題を解決するための手段】
【０００６】
本発明は上記の課題を解決するためになされたものであり、本発明の一態様は、正方形の板状に形成された筐体と、前記筐体の板面のうち正方形の表示領域に設けられた表示パネルと、前記表示領域に対する接触の有無及び接触位置を検出するタッチパネルと、前記筐体の側面の所定領域に対する接触の有無及び接触位置を検出し、前記表示部が設けられた領域に対応して前記所定領域が設定されている検出部を有する操作部と、前記前記表示パネルが設置された面の背面のほぼ中心部に設けられ、外部機器と前記筐体とを接続する接続部と、を備える電子機器である。
【発明の効果】
【０００７】
本発明によれば、操作性に優れた電子機器を提供することができる。
【図面の簡単な説明】
【０００８】
【図１】本発明の実施の形態に係る携帯情報端末の構成を示す斜視図である。
【図２】本実施形態に係る携帯情報端末の一部の構成を示す断面図である。
【図３】本実施形態に係る携帯情報端末の背面図である。
【図４】本実施形態に係る携帯情報端末の動作の一形態を示す図である。
【図５】本実施形態に係る携帯情報端末の動作の一形態を示す図である。
【発明を実施するための形態】
【０００９】
以下、図面を参照しながら本発明の一実施形態について詳しく説明する。
図１は、本実施形態に係る携帯情報端末ＥＱＰの構成を示す斜視図である。
本図に示すように、携帯情報端末（電子機器）ＥＱＰは、制御装置ＣＯＮＴと、表示部ＤＰと、基板ＢＰと、カメラモジュールＣＭと、充電池ＢＴと、操作部ＳＤと、接続部ＭＴと、マイクＭＣと、スピーカＳＰと、複数の振動デバイスＡＴと、第１の接続部ＭＳとを有している。制御装置ＣＯＮＴと、表示部ＤＰと、基板ＢＰと、カメラモジュールＣＭと、充電池ＢＴと、操作部ＳＤと、接続部ＭＴと、マイクＭＣと、スピーカＳＰと、複数の振動デバイスＡＴと、第１の接続部ＭＳとは、電気的に接続されている。また、これらの回路は、第２の接続部ＭＴの電気接点部を介して、外部機器が電気的に接続される。
【００１０】
携帯情報端末ＥＱＰの筐体は、例えば正方形の板状に形成されており、表示部ＤＰと操作部ＳＤと第２の接続部ＭＴとを保持する。
表示部ＤＰは、正方形に形成されており、筐体のうち板面に設けられている。筐体のうち当該表示部ＤＰが設けられる面を、以下表示面Ｆｅと表記する。表示部ＤＰは、例えば液晶装置や有機ＥＬ装置などを有する表示パネルを有している。表示パネルの表示領域には、タッチパネルが設けられている。この表示領域は正方形である。タッチパネルは、表示領域に対する接触の有無及び接触位置を検出する。図示するように、表示面Ｆｅと表示パネルの表示領域はほぼ等しい。また、表示面Ｆｅには、表示部ＤＰのみが設けられている。
【００１１】
操作部ＳＤは、筐体のうち表示面Ｆｅを囲む４辺に相当する４つの側面Ｆａ〜Ｆｄに設けられている。操作部ＳＤは、側面Ｆａに設けられた側部検出部ＳＤ１、側面Ｆｂに設けられた側部検出部ＳＤ２、側面Ｆｃに設けられた側部検出部ＳＤ３及び側面Ｆｄに設けられた側部検出部ＳＤ４を有している。操作部ＳＤは、側部検出部ＳＤ１〜ＳＤ４において外部からの（例えばユーザの）接触の有無及び接触位置を検出する。
例えば、ユーザの指などが側部検出部ＳＤ２の検出領域の一部分に接触すると、側部検出部ＳＤ２の静電容量が変化するようになっている。また、一部分に接触していたユーザの指などの接触状態が解除されると、側部検出部ＳＤ２静電容量が元の状態に戻るようになっている。
このように、側部検出部ＳＤ２では、接触部分の静電容量が局所的に変化するように構成されている。このような静電容量の変化は、制御装置ＣＯＮＴに送信される。制御装置ＣＯＮＴでは、当該静電容量の変化を検出することにより、外部からの接触の有無及び接触位置を算出可能である。なお、例えばユーザが検出領域に沿って接触部分を移動させる場合、静電容量の変化する位置が接触部分の移動に伴って移動する。制御装置ＣＯＮＴでは、この静電容量の変化する位置の移動（移動方向、移動距離及び移動速度）についても検出可能である。他の側部検出部ＳＤ１、ＳＤ３及びＳＤ４についても同様である。
【００１２】
基板ＢＰは、筐体内に設けられる。基板ＢＰには、制御装置ＣＯＮＴと、例えばＷｉＦｉ（Wireless Fidelity）等により無線通信を行う無線通信部と、加速度センサやジャイロ（角速度センサ）、ＧＰＳ(Global Positioning System)等の各種センサとが設置されている。制御装置ＣＯＮＴは、メモリとＣＰＵ（中央演算装置）を備え、携帯情報端末ＥＱＰを統括して制御する。
振動デバイスＡＴは、規定の周波数（共振周波数）を持つリニア振動アクチュエータである。複数の振動デバイスＡＴ１〜ＡＴ４は、筐体内の夫々異なる位置に配置されている。
充電池ＢＴは、各部に電力を供給する。充電池ＢＴは、筐体内に設けられ、必要によっては筐体から取り外し可能にすることもできる。
【００１３】
カメラモジュールＣＭは、レンズとイメージセンサとを備え、被写体を撮像し画像データを生成する。ここでのカメラモジュールＣＭは、そのレンズが筐体ＥＬのうち表示面Ｆｅの背面Ｆｆに設けられているが、その個数や設置場所は必要に応じ変えられる。
第２の接続部ＭＴは、背面Ｆｆのほぼ中心部に設けられ、外部機器を機械的又は電気的に接続する。
マイクＭＣ及びスピーカＳＰは、背面Ｆｆに設けられている。
【００１４】
図２は、携帯情報端末ＥＱＰを表示面Ｆｅ側から見たときの図であり、側部検出部ＳＤ１〜ＳＤ４を断面で示している。
図２に示すように、各側部検出部ＳＤ１〜ＳＤ４は、正方形に形成された表示部ＤＰの各辺の位置に配置されると共に、表示部ＤＰの寸法に対応する寸法に形成されている。
具体的には、側部検出部ＳＤ１〜ＳＤ４の検出領域２０は、表示部ＤＰの一辺に対応する位置に配置されている。また、側部検出部ＳＤ１〜ＳＤ４の検出領域２０の長手方向の寸法は、表示部ＤＰの一辺の寸法に等しくなっている。
【００１５】
図３は、携帯情報端末ＥＱＰの背面図である。携帯情報端末ＥＱＰの背面Ｆｆには、第２の接続部ＭＴと、カメラモジュールＣＭと、第１の接続部ＭＳとが設けられている。第２の接続部ＭＴは、電気接点部を備えるバヨネット式のマウントであり、筐体と外部機器とを締結する。外部機器は、例えば、レンズとイメージセンサを備えたカメラモジュールやメモリ等を備えたイーゼル、スピーカユニット、ハードディスク、楽器等である。第２の接続部ＭＴに外部機器が装着されると、外部機器の電気接点部と第２の接続部ＭＴの電気接点部とが接触し、外部機器が携帯情報端末ＥＱＰの各部と電気的に接続する。
第１の接続部ＭＳは、メモリカード（外部メモリ）等を電気的に接続させるＵＳＢ（Universal Serial Bus）端子等のインタフェースである。
【００１６】
次に、上記のように構成された携帯情報端末ＥＱＰの動作を説明する。  
携帯情報端末ＥＱＰは、制御装置ＣＯＮＴのメモリや外部メモリ等に記憶された画像データや無線通信部を介して通信された画像データを表示部ＤＰに出力して画像として表示する。また、携帯情報端末ＥＱＰは、同様に制御装置ＣＯＮＴのメモリや外部メモリ等に記憶された音声データをスピーカＳＰから出力する。更に、携帯情報端末ＥＱＰは、外部との間でこれら画像データ及び音声データを含むデータの通信を行う。また、携帯情報端末ＥＱＰは、第２の接続部ＭＴに外部機器が接続されると、接続された外部機器に応じた動作をする。また、携帯情報端末ＥＱＰは、通信データの受信やアラーム等のイベントが発生すると振動デバイスＡＴを振動させる。
【００１７】
［ユーザ操作］
制御装置ＣＯＮＴは、ユーザの操作に基づいて、画像データや音声データの出力及び通信を行う。携帯情報端末ＥＱＰの筐体の姿勢が、例えば図４に示すように、側面Ｆａから側面Ｆｂに向けた方向が重力方向である場合、制御装置ＣＯＮＴは、表示部ＤＰの表示領域３１〜４０において、例えば処理１〜処理１０に対応した識別表示を表示させる。
【００１８】
例えば、制御装置ＣＯＮＴは、表示部ＤＰの４辺のうち図中上側の辺に沿った領域内に４つの単位領域を設定し、これらの単位領域をそれぞれ表示領域３１〜３４として設定する。また、制御装置ＣＯＮＴは、表示領域３１〜３４に対応するように、側部検出部ＳＤ１の検出領域２０に４つの単位領域を設定し、これらの単位領域をそれぞれ接触領域（Ａ１）〜（Ｄ１）とする。
【００１９】
また、制御装置ＣＯＮＴは、表示部ＤＰの４辺のうち図中下側の辺に沿った領域内に２つの単位領域を設定し、これらの単位領域をそれぞれ表示領域３９及び４０として設定する。また、制御装置ＣＯＮＴは、当該２つの表示領域３９及び４０に対応するように、側部検出部ＳＤ１の検出領域２０に４つの単位領域を設定し、これらの単位領域をそれぞれ接触領域（Ｍ１）及び（Ｎ１）とする。
【００２０】
同様に、制御装置ＣＯＮＴは、表示部ＤＰの４辺のうち図中左側の辺及び図中右側の辺に沿った領域内にも、それぞれ表示領域を設定する。なお、表示領域３１は表示部ＤＰの左上角部に設けられており、表示領域３９は表示部ＤＰの左下角部に設けられており、表示領域３４は図中右上角部に設けられており、表示領域４０は図中右下角部に設けられているため、これら表示領域３１、３４、３９及び４０については、２つの接触領域に対して共通の表示領域として設定する。
【００２１】
したがって、図中左側の辺には表示領域３１、３５、３７及び３９が設定されると共に、図中右側の辺には表示領域３４、３６、３８及び４０が設定される。また、制御装置ＣＯＮＴは、側部検出部ＳＤ３の検出領域２０については、表示領域３１、３５、３７及び３９に対応するように４つの単位領域を設定し、これらの単位領域をそれぞれ接触領域（Ｅ１）、（Ｇ１）、（Ｉ１）及び（Ｋ１）とする。また、制御装置ＣＯＮＴは、側部検出部ＳＤ４の検出領域２０については、表示領域３４、３６、３８及び４０に対応するように４つの単位領域を設定し、これらの単位領域をそれぞれ接触領域（Ｆ１）、（Ｈ１）、（Ｊ１）及び（Ｌ１）とする。
【００２２】
この状態で制御装置ＣＯＮＴは、ユーザが表示領域３１〜４０のうちいずれかの領域に接触するのを待機した状態とする。加えて、制御装置ＣＯＮＴは、ユーザが側部検出部ＳＤ１〜ＳＤ４に接触するのを待機した状態とする。
【００２３】
ユーザがタッチパネルのうち表示領域３１〜４０のいずれかに重なる領域に接触した場合、制御装置ＣＯＮＴはタッチパネル上の接触位置を検出し、当該接触位置に表示された識別表示に対応する処理を実行する。例えば、ユーザがタッチパネルのうち表示領域３１に重なる部分に接触した場合、制御装置ＣＯＮＴは当該表示領域３１に表示された処理（処理１）を行う。
【００２４】
また、ユーザが側部検出部ＳＤ１〜ＳＤ４のいずれかに接触した場合、制御装置ＣＯＮＴは、側部検出部ＳＤ１〜ＳＤ４のどこに接触したのか、接触位置を検出する。例えば接触位置が側部検出部ＳＤ１の接触領域（Ａ１）内の位置であった場合、表示部ＤＰのうち当該接触領域（Ａ１）に対応する部分に表示された処理１を行う。また、接触位置が側部検出部ＳＤ１の接触領域（Ｂ１）内の位置あった場合、表示部ＤＰのうち当該接触領域（Ｂ１）に対応する部分に表示された処理２を行う。同様に、側部検出部ＳＤ１の接触領域（Ｃ１）内に接触位置が検出された場合には、表示部ＤＰのうち接触領域（Ｃ１）に対応する部分に表示された処理３を行う。また、接触領域（Ｄ１）に接触が検出された場合には、表示部ＤＰのうち接触領域（Ｄ１）に対応する部分に表示された処理４を行う。
【００２５】
更に、側部検出部ＳＤ２に接触があった場合、接触位置が接触領域（Ｍ１）内の位置であれば処理９が行われ、接触位置が接触領域（Ｎ１）内の位置であれば処理１０が行われる。同様に、側部検出部ＳＤ３の場合、接触位置が接触領域（Ｅ１）内の位置であった場合には処理１が行われ、接触位置が接触領域（Ｇ１）内の位置であった場合には処理５が行われ、接触位置が接触領域（Ｉ１）の位置であった場合には処理７が行われ、接触位置が接触領域（Ｋ１）内の位置であった場合には処理９が行われる。
【００２６】
また、側部検出部ＳＤ４についても同様に、接触位置が接触領域（Ｆ１）内の位置であった場合には処理４が行われ、接触位置が接触領域（Ｈ１）内の位置であった場合には処理６が行われ、接触位置が接触領域（Ｊ１）内の位置であった場合には処理８が行われ、接触位置が接触領域（Ｌ１）内の位置であった場合には処理１０が行われる。
【００２７】
このように、制御装置ＣＯＮＴは、タッチパネルによる入力、側部検出部ＳＤ１〜ＳＤ４による入力、の両方に対応するように処理を行う。この場合、制御装置ＣＯＮＴは、処理１〜処理１０の識別表示を表示部ＤＰの４辺に沿った位置に表示させるようにする。制御装置ＣＯＮＴは、当該表示部ＤＰの４辺に対応する側部検出部ＳＤ１〜ＳＤ４での接触を検出した場合、各処理１〜処理１０を行う。このような動作により、ユーザに側部検出部ＳＤ１〜ＳＤ４による入力を直感的に行わせることができる。
【００２８】
また、携帯情報端末ＥＱＰの筐体の姿勢が、例えば図５に示すように、側面Ｆｄから側面Ｆｃに向けた方向が重力方向となるように切り替わった場合、制御装置ＣＯＮＴは、表示部ＤＰの表示領域４１〜５０に識別表示を表示させるように表示を切り替える。この状態で制御装置ＣＯＮＴは、ユーザが表示領域４１〜５０のうちいずれかの領域に接触するのを待機した状態とすると共に、ユーザが側部検出部ＳＤ１〜ＳＤ４に接触するのを待機した状態とする。
【００２９】
この場合、図４に示す状態と同様に、ユーザがタッチパネルのうち表示領域４１〜５０のいずれかに重なる領域に接触した場合、制御装置ＣＯＮＴは表示部検出部５２ｂによってタッチパネル上の接触位置を検出し、当該接触位置に表示された識別表示に対応する処理を実行する。例えば、ユーザがタッチパネルのうち表示領域４１に重なる部分に接触した場合、制御装置ＣＯＮＴは当該表示領域４１に表示された処理（処理１）を行う。
【００３０】
また、ユーザが側部検出部ＳＤ１〜ＳＤ４のいずれかに接触した場合、制御装置ＣＯＮＴは、側部検出部ＳＤ１〜ＳＤ４のどこに接触したのか、接触位置を検出する。例えば接触位置が側部検出部ＳＤ４の接触領域（Ａ２）内の位置であった場合、表示部ＤＰのうち当該接触領域（Ａ２）に対応する部分に表示された処理１を行う。また、接触位置が側部検出部ＳＤ４の接触領域（Ｂ２）内の位置あった場合、表示部ＤＰのうち当該接触領域（Ｂ２）に対応する部分に表示された処理２を行う。同様に、側部検出部ＳＤ４の接触領域（Ｃ２）内に接触位置が検出された場合には、表示部ＤＰのうち接触領域（Ｃ２）に対応する部分に表示された処理３を行う。また、接触領域（Ｄ２）に接触が検出された場合には、表示部ＤＰのうち接触領域（Ｄ２）に対応する部分に表示された処理４を行う。
【００３１】
更に、側部検出部ＳＤ３に接触があった場合、接触位置が接触領域（Ｍ２）内の位置であれば処理９が行われ、接触位置が接触領域（Ｎ２）内の位置であれば処理１０が行われる。同様に、側部検出部ＳＤ１の場合、接触位置が接触領域（Ｅ２）内の位置であった場合には処理１が行われ、接触位置が接触領域（Ｇ２）内の位置であった場合には処理５が行われ、接触位置が接触領域（Ｉ２）の位置であった場合には処理７が行われ、接触位置が接触領域（Ｋ２）内の位置であった場合には処理９が行われる。
【００３２】
また、側部検出部ＳＤ２についても同様に、接触位置が接触領域（Ｆ２）内の位置であった場合には処理４が行われ、接触位置が接触領域（Ｈ２）内の位置であった場合には処理６が行われ、接触位置が接触領域（Ｊ２）内の位置であった場合には処理８が行われ、接触位置が接触領域（Ｌ２）内の位置であった場合には処理１０が行われる。
【００３３】
このように、例えば図４に示す筐体の姿勢と図５に示す筐体の姿勢のように、筐体の姿勢が異なる場合には、同一の処理を行うための接触位置を表示と共に適宜切り替えることができるので、ユーザに側部検出部ＳＤ１〜ＳＤ４による入力を直感的に行わせることができる。
また、表示パネルが設けられる表示領域を正方形としたことにより、筐体の姿勢を変化させたときに画像データの表示方向を切り替える場合に、表示する画像データの縦横比を変更する必要がない。これにより、表示の切り替えにかかる時間を短縮することができる。
また、第２の接続部ＭＴを背面Ｆｆに設けたことにより、表示面には表示部ＤＰのみを設け、側面には操作部ＳＤのみを設けることができる。これにより、表示パネルが設けられる表示領域及び検出領域２０を比較的広くすることができる。
【００３４】
［外部機器接続］
続いて、第２の接続部ＭＴに外部機器が接続された場合の動作について説明する。以下では、外部機器としてカメラモジュールが接続された場合を例に説明する。第２の接続部ＭＴにカメラモジュールが装着されると、カメラモジュールと制御装置ＣＯＮＴとはバスを介して電気的に接続する。制御装置ＣＯＮＴは、第２の接続部ＭＴにカメラモジュールが接続されたことを検知すると、接続されたカメラモジュールによる撮像を開始する。そして、制御装置ＣＯＮＴは、カメラモジュールにより生成された画像データを表示部ＤＰに表示する。或いは、制御装置ＣＯＮＴは、カメラモジュールが接続されると、カメラモジュールによる撮像を開始するための操作ボタン等を表示部ＤＰに表示してもよい。
このように、第２の接続部ＭＴを設けたことにより、携帯情報端末ＥＱＰに様々な外部機器を接続することができる。
【００３５】
［振動発生］
続いて、イベント発生時に携帯情報端末ＥＱＰが発生する振動について説明する。制御装置ＣＯＮＴは、イベントと振動パターンを対応付けた対応テーブルを予め記憶している。そして、制御装置ＣＯＮＴは、イベントが発生すると、発生したイベントに対応する振動パターンを対応テーブルから読み出し、読み出した振動パターンで振動デバイスＡＴを振動させる。例えば、制御装置ＣＯＮＴは、イベント「通常データ受信」が発生すると、複数の振動デバイスＡＴのうちいずれか１つを振動させる。また、制御装置ＣＯＮＴは、イベント「重要データ受信」が発生すると、複数の振動デバイスＡＴ全てを振動させる。また、制御装置ＣＯＮＴは、イベント「アラーム」が発生すると、振動デバイスＡＴ１を１４８Ｈｚで振動させるとともに、振動デバイスＡＴ３を１５２Ｈｚで振動させる。これにより、４Ｈｚのうなり振動が発生する。また、振動パターンの例として、複数の振動デバイスＡＴを異なる周波数で同時に振動させる他に、複数の振動デバイスを異なる強度で同時に振動させることも考えられる。この場合、各振動デバイスの強度比を時間に応じて変化させてもよい。
これにより、携帯情報端末ＥＱＰは、ユーザが認識可能な複数種類の周波数の振動をイベントに応じて発生することができる。
【００３６】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、上記実施形態では第２の接続部ＭＴをバヨネット式のマウントとしたが、例えば、外部機器をスライドインさせて筐体に装着するものであってもよい。
【００３７】
また、上記実施形態においては、側部検出部ＳＤ１〜ＳＤ４の構成として、接触によって静電容量が変化するのを検出する構成を例に挙げて説明したが、これに限られることは無く、例えば、接触によって電圧が変化するのを検出する構成（例えば、抵抗膜方式のタッチセンサ等）としても構わない。また、側部検出部ＳＤ１〜ＳＤ４の構成として、電極を設ける構成の他、例えば表面弾性波方式や赤外線方式など、電極を設けない構成であっても構わない。
【００３８】
また、上記実施形態においては、側部検出部ＳＤ１〜ＳＤ４が筐体の側面Ｆａ〜Ｆｄのそれぞれに配置された構成を例に挙げて説明したが、これに限られることは無い。例えば、側部検出部が側面Ｆａ〜Ｆｄのうち１面以上３面以下の面に設けられている構成であっても構わない。
【００３９】
また、上記実施形態においては、表示部ＤＰの表面にタッチパネルが設けられた構成を例に挙げて説明したが、これに限られることは無く、タッチパネルが設けられない構成であっても構わない。この場合、操作部ＳＤに設けられる側部検出部ＳＤ１〜ＳＤ４を用いて操作する構成となる。この構成により、タッチパネルを設けなくても高い操作性を得ることができるため、携帯情報端末の低コスト化を図ることができる。
【００４０】
また、上記実施形態においては、側部検出部ＳＤ１〜ＳＤ４のそれぞれを複数の接触領域に区切るように制御する態様を例に挙げて説明したが、これに限られることは無い。例えば、側部検出部ＳＤ１〜ＳＤ４の複数の接触領域に区切らずに、１つの側部検出部に接触すると１つの処理を行うように設定しても構わない。
【００４１】
また、上記実施形態においては、センサにより筐体の姿勢を検出し、検出結果に基づいて表示部ＤＰにおける表示を切り替えるように制御する態様を例に挙げて説明したが、これに限られることは無い。例えば、センサの検出結果によらず一定の表示を行うように制御しても構わない。また、センサの検出結果に基づいて表示を切り替えるモードと、検出結果によらず一定の表示を行うモードとをユーザが設定可能な態様であっても構わない。
【００４２】
また、上記実施形態においては、電極１０のうち表面側電極１０ａが側面Ｆａ〜Ｆｄのうち他の部分と面一状態になっている構成を例に挙げて説明したが、これに限られることは無い。例えば表面側電極１０ａが側面Ｆａ〜Ｆｄの他の部分よりも筐体の内部側に配置されている構成（表面側電極１０ａが凹んだ位置に配置されている構成）であっても構わないし、表面側電極１０ａが側面Ｆａ〜Ｆｄの他の部分よりも筐体の外部側に配置されている構成（表面側電極１０ａが突出した位置に配置されている構成）であっても構わない。
【００４３】
また、上記実施形態においては、筐体が正方形に形成された板状の構成を例に挙げて説明したが、これに限られることは無い。例えば、筐体が矩形や円形、三角形、多角形など、他の形状に形成された板状の構成であっても構わない。また、筐体が球状や多角柱状、円筒状など、板状に限らず他の形状に形成された構成であっても構わない。
【符号の説明】
【００４４】
ＥＱＰ…携帯情報端末  ＦＬ…筐体  ＤＰ…表示部  ＳＤ…操作部  ＣＯＮＴ…制御装置  ＰＮ…表示パネル  ＴＰ…タッチパネル  Ｆｅ…表示面  Ｆａ〜Ｆｄ…側面  ＳＤ１〜ＳＤ４…側部検出部  ＡＴ…振動デバイス  ＣＭ…カメラモジュール  ＢＰ…基板  ＢＴ…充電池  ＭＴ…第２の接続部  ＭＣ…マイク  ＳＰ…スピーカ  ＭＳ…第１の接続部  １０…電極  １０ａ…表面側電極  １０ｂ…内部側電極  １０ｃ…誘電体  ２０…検出領域  ３１〜４０、４１〜５０…表示領域  
【図１】
2012221474.tif 000003
【図２】
2012221474.tif 000004
【図３】
2012221474.tif 000005
【図４】
2012221474.tif 000006
【図５】
2012221474.tif 000007